【手続補正書】
【提出日】平成22年6月21日(2010.6.21)
【手続補正１】
【補正対象書類名】明細書
【補正対象項目名】００１６
【補正方法】変更
【補正の内容】
【００１６】
一実施の形態では、ストローク解析部は、２値状態機械に従って複数のストロークのあり得る組合せを確定し、所定の制限に従ってあり得る組合せを制限するように構成される。一実施の形態では、複数の記号認識エンジンは、統計的分類器を含む。一実施の形態では、複数の記号認識エンジンのうちの少なくとも１つの記号認識エンジンは、少なくとも１つの共通ストロークによって接続される複数の記号のうちの少なくとも２つの記号を認識するように構成される。
本出願は、以下の概念に関連する。
［概念１］
手書き記号を認識する方法であって、
電子機器の共通入力領域において複数のストロークを受け取ることであって、該複数のストローク(strokes)は結合して複数の記号(symbols)を定義する、受け取ること、及び
複数の記号認識(recognition)エンジンによって前記複数のストロークの連続した(sequential)組合せ(combinations)を解析することであって、前記複数のストロークによって定義される前記複数の記号のうちの少なくとも１つのあり得る(possible)記号が確定(determine)され、前記複数の記号認識エンジンのうちの少なくとも１つは、特定数(particular number)のストロークを含む記号を識別するように構成される、解析すること、
を含む、手書き記号を認識する方法。
［概念２］
前記解析することは、前記あり得る記号を識別する外部メカニズムの使用を必要としない、概念１に記載の方法。
［概念３］
前記外部メカニズムは、外部切出し(segmenting)信号及び外部ストローク辞書のうちの少なくとも一方を含む、概念２に記載の方法。
［概念４］
前記複数の記号のうちの第１の記号の少なくとも１つのストロークは、前記複数の記号のうちの第２の記号の少なくとも１つのストロークの上に空間的に重ね合わされ(superimposed)、前記複数のストロークの各ストロークは、前記複数の記号のうちの１つの記号のみに関連する、概念１に記載の方法。
［概念５］
前記複数のストロークの連続した組合せを解析することは、
前記複数のストロークのうちの１つのストロークが非記号ジェスチャを表すか否かを確定すること、及び
前記ストロークが非記号ジェスチャを表す場合、前記複数の記号認識エンジンにおいて該ストロークを無視すること、
を含む、概念１に記載の方法。
［概念６］
前記複数のストロークの連続した組合せを解析することは、少なくとも１つの共通ストロークによって接続される前記複数の記号のうちの少なくとも２つの記号を認識することを含む、概念１に記載の方法。
［概念７］
外部切出しメカニズムを使用せずに手書き記号を認識し切り出す方法であって、
電子機器の共通入力領域において複数のストロークを受け取ることであって、前記複数のストロークは結合して複数の記号を定義し、第１の記号の少なくとも１つのストロークは、第２の記号の少なくとも１つのストロークの上に空間的に重ね合わされ、前記複数のストロークの各ストロークは、前記複数の記号のうちの１つの記号のみに関連する、受け取ること、及び
前記複数のストロークを逐次解析することであって、前記複数のストロークによって定義される少なくともの１つのあり得る記号が確定され、該逐次解析することは、前記あり得る記号を識別するために外部切出し信号及び外部ストローク辞書のうちの少なくとも１つの使用を必要とせず、オンラインで実行される、逐次解析すること、
を含む、手書き記号を認識し切り出す方法。
［概念８］
前記外部切出し信号はタイムアウト信号を含む、概念７に記載の方法。
［概念９］
前記外部ストローク辞書は、記号二重字間のストロークの相対位置を記述する情報を含む、概念７に記載の方法。
［概念１０］
前記複数のストロークを逐次解析することは、複数の記号認識エンジンを利用することであって、前記複数のストロークの連続した組合せを解析することであって、前記複数のストロークによって定義される前記複数の記号のうちの少なくとも１つのあり得る記号が確定され、前記複数の記号認識エンジンのうちの少なくとも１つは、特定数のストロークを含む記号を識別するように構成される、利用することを含む、概念７に記載の方法。
［概念１１］
前記複数の記号認識エンジンは、１ストローク記号認識エンジン、２ストローク記号認識エンジン及び３ストローク記号認識エンジンを含む、概念１又は１０に記載の方法。
［概念１２］
前記複数の記号認識エンジンは、４ストローク記号認識エンジンをさらに含む、概念１１に記載の方法。
［概念１３］
前記複数の記号のうちの１つの記号は、４つ以下のストロークを含む、概念１又は７に記載の方法。
［概念１４］
前記複数のストロークの連続した組合せを解析すること又は前記複数のストロークを逐次解析することは、
２値状態機械に従って前記複数のストロークのあり得る組合せを確定すること、及び
所定の制限に従って前記あり得る組合せを制限すること、
を含む、概念１又は７に記載の方法。
［概念１５］
前記複数の記号は、表意文字言語の発音表記を含む、概念１又は７に記載の方法。
［概念１６］
前記複数のストロークを逐次解析することは、
前記複数のストロークのうちの１つのストロークが非記号ジェスチャを表すか否かを確定すること、及び
前記ストロークが非記号ジェスチャを表す場合、該ストロークを無視すること、
を含む、概念７に記載の方法。
［概念１７］
前記複数の記号認識エンジンは、統計的分類器を含む、概念１又は１０に記載の方法。
［概念１８］
手書き記号を認識する装置であって、
共通入力領域内に入力される複数のストロークを受け取るストローク受取部であって、前記複数のストロークは結合して複数の記号を定義し、第１の記号の少なくとも１つのストロークは、第２の記号の少なくとも１つのストロークの上に空間的に重ね合わせられる、ストローク受取部と、
前記複数のストロークを逐次解析して、該複数のストロークによって定義される少なくとも１つのあり得る記号を確定するストローク解析部であって、
前記複数のストロークの連続した組合せを解析する複数の記号認識エンジンであって、特定数のストロークを含む記号を識別するものである、複数の記号認識エンジン
を備える、ストローク解析部と、
を具備する、手書き記号を認識する装置。
［概念１９］
前記複数の記号認識エンジンは、
１つのストロークを含む記号を識別する１ストローク記号認識エンジンと、
２つのストロークを含む記号を識別する２ストローク記号認識エンジンと、
３つのストロークを含む記号を識別する３ストローク記号認識エンジンと、
を含む、概念１８に記載の装置。
［概念２０］
前記複数の記号認識エンジンは、４つのストロークを含む記号を識別する４ストローク記号認識エンジンをさらに含む、概念１９に記載の装置。
［概念２１］
前記複数の記号認識エンジンのそれぞれは、前記複数の記号認識エンジンのそれぞれの記号認識エンジンによって解析されるストロークが前記あり得る記号である確率値を確定する、概念１８に記載の装置。
［概念２２］
前記ストローク受取部は、ハンドヘルドコンピューティングデバイスのストローク入力デバイスである、概念１８に記載の装置。
［概念２３］
前記複数の記号のうちの１つの記号は、４つ以下のストロークを含む、概念１８に記載の装置。
［概念２４］
前記複数のストロークの各ストロークは、前記複数の記号のうちの１つの記号のみに関連する、概念１８に記載の装置。
［概念２５］
前記ストローク解析部は、２値状態機械に従って前記複数のストロークのあり得る組合せを確定し、所定の制限に従って前記あり得る組合せを制限するように構成される、概念１８に記載の装置。
［概念２６］
前記複数の記号は、表意文字言語の発音表記を含む、概念１８に記載の装置。
［概念２７］
前記ストローク解析部は、前記複数のストロークのうちの１つのストロークが非記号ジェスチャを表すか否かを確定し、前記ストロークが非記号ジェスチャを表す場合、前記複数の記号認識エンジンにおいて該ストロークを無視するように構成される、概念１８に記載の装置。
［概念２８］
前記複数の記号認識エンジンは統計的分類器を含む、概念１８に記載の装置。
［概念２９］
前記複数の記号認識エンジンのうちの少なくとも１つの記号認識エンジンは、少なくとも１つの共通ストロークによって接続される前記複数の記号のうちの少なくとも２つの記号を認識するように構成される、概念１８に記載の装置。
【手続補正２】
【補正対象書類名】特許請求の範囲
【補正対象項目名】全文
【補正方法】変更
【補正の内容】
【特許請求の範囲】
【請求項１】
手書き記号を認識する方法であって、
電子機器の共通入力領域において複数のストロークを受け取るステップであって、該複数のストローク(strokes)は結合して複数の記号(symbols)を定義する、受け取るステップであって、前記複数の記号の第１の記号の少なくとも１つのストロークが、前記複数の記号の第２の記号の少なくとも１つのストロークの上に空間的に重ね合わされる（superimposed）もの、及び、
複数の記号認識(recognition)エンジンによって前記複数のストロークの連続した(sequential)組合せ(combinations)を解析するステップであって、前記複数のストロークによって定義される前記複数の記号のうちの少なくとも１つの記号が確定(determine)され、前記複数の記号認識エンジンのうちの少なくとも１つは、特定数(particular number)のストロークからなる記号を識別するように構成される、解析するステップ、
を含む、手書き記号を認識する方法。
【請求項２】
前記複数のストロークの連続した組合せを解析するステップは、
２値状態機械に従って前記複数のストロークのあり得る組合せを確定すること、及び
所定の制限に従って前記あり得る組合せを制限すること、
を含む、請求項１に記載の方法。
【請求項３】
前記解析するステップは、
前記複数のストロークのうちの１つのストロークが非記号ジェスチャを表すか否かを確定するステップ、及び
前記ストロークが非記号ジェスチャを表す場合、該ストロークを無視するステップ、
を含む、請求項１又は２に記載の方法。
【請求項４】
前記解析するステップは、少なくとも１つの共通ストロークによって接続される前記複数の記号のうちの少なくとも２つの記号を認識するステップを含む、請求項１ないし３のいずれかに記載の方法。
【請求項５】
手書き記号を認識する装置であって、
共通入力領域内に入力される複数のストロークを受け取るストローク受取部であって、前記複数のストロークは結合して複数の記号を定義し、当該複数の記号中の第１の記号の少なくとも１つのストロークは、当該複数の記号中の第２の記号の少なくとも１つのストロークの上に空間的に重ね合わせられる、ストローク受取部と、
前記複数のストロークを逐次解析して、該複数のストロークによって定義される少なくとも１つの記号を確定するストローク解析部であって、当該ストローク解析部が、前記複数のストロークの連続した組合せを解析する複数の記号認識エンジンであって、当該複数の記号認識エンジンの各々が、特定数のストロークからなる記号を識別するものである、複数の記号認識エンジンを備える、ストローク解析部と、
を具備する、手書き記号を認識する装置。
【請求項６】
前記複数の記号認識エンジンは、
１つのストロークからなる記号を識別する１ストローク記号認識エンジンと、
２つのストロークからなる記号を識別する２ストローク記号認識エンジンと、
３つのストロークからなる記号を識別する３ストローク記号認識エンジンと、
を含む、請求項５に記載の装置。